(57)【要約】【課題】  完全に一つの部品から組み立てることができる仕切体、及びこの仕切体を装填した包装体の提供。【解決手段】  収容空間４０を縦に２等分する縦板１１に、その下部の略中央部から収容空間４０の底部に沿って側方に延伸する底板１２を設け、底板１２の端部には収容空間４０の側面に沿って立設した側板１３を設ける。側板１３の両側には、第１の横板１４と第２の横板１５とを設け、第１の横板１４には、その幅より狭い舌状部１６を設ける。舌状部１６は側板１３と同一平面に延伸している。第１の横板１４及び第２の横板１５は、縦板１１のスリット２１及び２２と、第１の横板１４のスリット２３及び第２の横板１５のスリット２４とをそれぞれ噛み合わせることにより、２つの横板１４，１５は、縦板１１を略３等分する位置において縦板１１と略直角に交叉する。【選択図】  図３
2008184194.tif 000002
【特許請求の範囲】
【請求項１】
箱体内の収容空間を仕切る仕切体であって、
前記収容空間を２分する縦板と、
該縦板の下部から前記収容空間の底部に沿って側方に延伸する底板と、
前記収容空間の側面に沿って前記底板の端部に立設される側板と、
該側板に連設され前記縦板と交叉する横板と
を備えたことを特徴とする仕切体。
【請求項２】
箱体内の収容空間を略６等分する仕切体であって、
前記収容空間を略２等分する縦板と、
該縦板の下部の略中央部から前記収容空間の底部に沿って側方に延伸する底板と、
前記収容空間の側面に沿って前記底板の端部に立設される側板と、
該側板の両側に連設されそれぞれ前記縦板を略３等分する位置において前記縦板と略直角に交叉する２枚の横板と
を備えたことを特徴とする仕切体。
【請求項３】
前記横板には、該横板より幅が狭く前記側板と同一平面に延伸する舌状部が設けられ、該横板の該舌状部を除く部分のみが前記縦板と交叉することを特徴とする請求項１又は２記載の仕切体。
【請求項４】
前記縦板には前記横板を挟持するスリットが設けられるとともに、前記横板には、前記縦板を挟持するスリットが設けられていることを特徴とする請求項１乃至３の何れかに記載の仕切体。
【請求項５】
前記縦板、前記底板、前記側板及び前記横板は、一枚の板から打ち抜かれたものであることを特徴とする請求項１乃至４の何れかに記載の仕切体。
【請求項６】
請求項３に記載の仕切体を２つ備え、該仕切体のそれぞれの前記側板を互いに重ね合わせることにより、前記横板のそれぞれの前記舌状部は、該重ね合わせ部分から互いに離反する方向に延伸していることを特徴とする仕切体。
【請求項７】
請求項１乃至６の何れかに記載の仕切体と、該仕切体を装填する箱体とを備えたことを特徴とする包装体。
【発明の詳細な説明】
【技術分野】
【０００１】
本発明は、複数の瓶詰め製品などが装填される段ボール箱などにおいて、仕切りに使用される仕切体と、この仕切体を箱体に装填した包装体とに関する。
【背景技術】
【０００２】
従来より、複数の瓶詰めなどの製品を段ボール箱に装填する場合、製品同士が当たって破損するのを防止するため、仕切体が使用されている。図６は従来から多用されている仕切体１の分解斜視図である。この仕切体１は、箱体内の収容空間を２分する縦板２と、縦板２に直交する２枚の横板３、４とによって構成され、縦板２と横板３、４との組み立ては、縦板２に設けられたスリット２ａ、２ｂと、横板３、４にそれぞれ設けられたスリット３ａ、４ａとをそれぞれ噛み合わせることにより行われている。このようにして縦板２と横板３及び４とを組み立てた仕切体１を段ボール箱などの箱体に装填することにより、６個の製品が互いに当たらないようにして収容することができる。
【０００３】
しかし、このような従来の仕切体１は、縦板２と横板３、４という３つの部品を使用して組み立てなければならないため、組み立て作業が繁雑となり、その在庫管理も煩雑となるという問題点がある。また、図６の仕切体１は単にスリットを噛み合わせただけの簡単な構造であるため、縦板２と各横板３、４との直交性を保ち難く、製品を入れるに際して手を添える必要があるなど、箱詰め作業が繁雑となるという問題点もある。更に、製品を詰めた後の段ボール箱は、保管に際して複数段に積み上げられ、最上部の箱は埃などが箱の天面に積もるのを避けるために逆さ向きに積まれるため、最上部では図６の仕切体１は箱内で下方に移動してしまい、製品の保護すべき部分から外れてしまうこととなる。このような場合、仕切体はその機能を果たすことができなくなってしまうという問題点がある。
【０００４】
上述のような問題点を解決するために、部品の数を減らすとともに、隣接する横板の間をつなぐ底板を設けて、縦板と横板との直交性を保った仕切体が検討されている（特許文献１及び２）。
【０００５】
しかし、このような仕切体であっても、部品の数は減少してはいるものの、複数の部品から組み立てなければならない点においては、従来の仕切体と同様の問題を有していると言わざるを得ない。
【特許文献１】特開平１１−３４８９７１号公報（要約書、図４）
【特許文献２】特開２００４−２７６９２４号公報（図１）
【発明の開示】
【発明が解決しようとする課題】
【０００６】
本発明は、上記従来技術の問題点を解決するために為されたものであり、本発明の目的は、完全に一つの部品から組み立てることができる仕切体を提供することである。本発明の他の目的は、上記仕切体を装填した包装体を提供することである。
【課題を解決するための手段】
【０００７】
本発明の仕切体は、箱体内の収容空間を仕切る仕切体であって、前記収容空間を２分する縦板と、該縦板の下部から前記収容空間の底部に沿って側方に延伸する底板と、前記収容空間の側面に沿って前記底板の端部に立設される側板と、該側板に連設され前記縦板と交叉する横板とを備えたことを特徴とする。
【０００８】
また、本発明の仕切体は、箱体内の収容空間を略６等分する仕切体であって、前記収容空間を略２等分する縦板と、該縦板の下部の略中央部から前記収容空間の底部に沿って側方に延伸する底板と、前記収容空間の側面に沿って前記底板の端部に立設される側板と、該側板の両側に連設されそれぞれ前記縦板を略３等分する位置において前記縦板と略直角に交叉する２枚の横板とを備えたことを特徴とする。
【０００９】
上記構成により、縦板、底板、側板及び横板が互いに切断されることなく連続しているため、一つの部品で仕切体を組み立てることができる。また、本発明の仕切体は底板を備えているため、逆さに積まれた場合にも下方に移動することなく、製品の保護が必要な部分に位置することとなる。
【００１０】
上記において、前記横板には、該横板より幅が狭く前記側板と同一平面に延伸する舌状部が設けられ、該横板の該舌状部を除く部分のみが前記縦板と交叉するように構成することができる。
【００１１】
この構成により、後述するように２つの仕切体を側板の部分で重ねて使用する場合に、この舌状部が仕切板のない部分に位置することとなり、倍の数の製品を収容することが可能となる。
【００１２】
また、前記縦板には前記横板を挟持するスリットが設けられるとともに、前記横板には、前記縦板を挟持するスリットが設けられている構成とすることができる。これらのスリットを設けたことにより、簡便に仕切体を組み立てることができる。
【００１３】
更に、本発明の仕切体は、前記縦板、前記底板、前記側板及び前記横板の全てを一枚の板から打ち抜いて作製することができる。
【００１４】
また、本発明の仕切体は、前記横板に舌状部を設けた仕切体を２つ備え、該仕切体のそれぞれの前記側板を互いに重ね合わせることにより、前記横板のそれぞれの前記舌状部は、該重ね合わせ部分から互いに離反する方向に延伸した仕切体を構成することができる。
【００１５】
本発明の包装体は、上記の何れかに記載の仕切体と、該仕切体を装填する箱体とを備えたことを特徴とする。
【発明の効果】
【００１６】
本発明の仕切体は、１つの部品からなるため製造が容易であり、組み立ても容易となり、更に在庫管理の煩雑さも解消する。また、縦板と各横板とが底板及び側板を介して固定されているため、縦板と各横板との間の直交性も保たれる。従って、製品を入れるに際して手を添えるなどの余計な配慮が不要となり、箱詰め作業が単純化され、製品詰めの機械による自動化も容易となる。更に、本発明の仕切体は底板を有しているため、倉庫などで逆向きに積まれた場合にも、箱体内で下方に移動することはない。
【発明を実施するための最良の形態】
【００１７】
本発明の実施形態について、図面を参照しながら説明する。図１は本発明の一実施形態に係る仕切体１０を展開した状態を表している。本実施形態の仕切体１０は、一枚の段ボールから打ち抜かれたものである。図３は図１の仕切体１０を組み立てた状態を表す斜視図である。本実施形態の仕切体１０は、図３に示すように、箱体内の収容空間４０を６等分するためのものであり、６個の製品を収納することができる。
【００１８】
この仕切体１０は、収容空間４０を縦に２等分する縦板１１を有し、縦板１１には、後述する２つの横板をそれぞれ挟持するための２つのスリット２１及び２２が設けられている。縦板１１の下部の略中央部からは、収容空間４０の底部に沿って側方に延伸する底板１２が設けられている。底板１２の幅は、縦板１１の長手方向の約３分の一の長さである。縦板１１と底板１２との間は、折線２５（図１）によって仕切られている。底板１２における折線２５とは反対側には、収容空間４０の側面に沿って立設される側板１３が設けられている。側板１３の幅は底板１２の幅と同じであり、底板１２と側板１３との間は、折線２６によって仕切られている（図１）。
【００１９】
図１に示すように、側板１３の両側には、第１の横板１４と第２の横板１５とが設けられている。第１の横板１４及び第２の横板１５には、後述するように、縦板１１を挟持するためのスリット２３及び２４がそれぞれ設けられている。また、本実施形態では、第１の横板１４には、第１の横板１４の幅（図１において上下方向の幅）より狭い舌状部１６が設けられており、図３に示すように、組み立て後において舌状部１６は側板１３と同一平面に延伸することとなる。第１の横板１４及び第２の横板１５は、縦板１１のスリット２１及び２２と、第１の横板１４のスリット２３及び第２の横板１５のスリット２４とをそれぞれ噛み合わせることにより、縦板１１を略３等分する位置において縦板１１と略直角に交叉することとなる。その際、第１の横板１４は、舌状部１６を除く部分のみが縦板１１と交叉する。側板１３と第１の横板１４の舌状部１６を除く部分との間は、折線２７ａ及び２７ｂによって仕切られている（図１）。同様に、側板１３と第２の横板１５との間は、折線２８によって仕切られている（図１）。
【００２０】
本実施形態の仕切体１０には、組み立て後の仕切体１０を箱体に入れ易くするために、縦板１１の下部の両側の角部分が円弧状部３１及び３２となっている。同様に、第１の横板１４の上部及び第２の横板１５の上部も、組み立て後の仕切体１０を箱体に入れ易くするために円弧状部３３及び３４となっている。また、縦板１１のスリット２１の両側上部は、第１の横板１４のスリット２３との噛み合わせを容易にするために円弧状部２１ａ及び２１ｂとなっている。同様にスリット２２の両側上部も、第２の横板１５のスリット２４との噛み合わせを容易にするために円弧状部２２ａ及び２２ｂとなっている。更に、第１の横板１４のスリット２３の両側上部は、縦板１１のスリット２１との噛み合わせを容易にするために円弧状部２３ａ及び２３ｂとなっており、第２の横板１５のスリット２４の両側上部も、縦板１１のスリット２２との噛み合わせを容易にするために円弧状部２４ａ及び２４ｂとなっている。
【００２１】
本実施形態の仕切体１０の組み立ての順序について説明する。図２は、図１の展開図から図３の組み立て完成図に至る途中の段階を示す斜視図である。図２に示すように、まず、第１の横板１４を折線２７ａ及び２７ｂで折り曲げて、第１の横板１４を側板１３に対して略直角に立てる。その際、舌状部１６は折り曲げずに側板１３と同一平面内に残しておく。次に、第２の横板１５を折線２８で折り曲げて、第２の横板１５を側板１３に対して略直角に立てる。続いて、折線２５で縦板１１を折り曲げて、底板１２に対して略直角に立てる（図２の状態）。
【００２２】
次に、底板１２と側板１３とを折線２８の部分で折り曲げて、縦板１１のスリット２１及びスリット２２と、第１の横板１４のスリット２３及び第２の横板１５のスリット２４とを、それぞれ同時に噛み合わせる。これにより、スリット２１は第１の横板１４を挟持するとともに、スリット２３は縦板１１を挟持し、同様に、スリット２２は第２の横板１５を挟持するとともに、スリット２４は縦板１１を挟持することとなる。また、本実施形態では、縦板１１と第１の横板１４及び第２の横板１５とが底板１２及び側板１３を介して固定されることになる。これにより、縦板１１と第１の横板１４及び第２の横板１５との直交性が強固に保持されることとなる。
【００２３】
本実施形態の仕切体１０は、１つの部品からなるため組み立てが容易であり、また、縦板１１と各横板１４，１５とが底板１２及び側板１３を介して固定されるため、縦板１１と各横板１４，１５との間の直交性も保たれる。更に、底板１２を有しているため、倉庫などで逆向きに積まれた場合にも、箱体内で下方に移動することはない。
【００２４】
図３に示した仕切体１０は、一つの箱体に装填して単独で使用する場合には６個の製品を収納することができるが、２つの仕切体１０を一つの箱体に装填して使用すれば、１２個の製品を収納することができる。図４は２つの仕切体１０を一つの箱体内の収容空間５０に装填した場合の平面図である。この実施形態における収容空間５０は、図３に示した収容空間４０の２倍の体積を有している。本実施形態では、２つの仕切体１０は、それぞれの側板１３を互いに重ね合わせて収容空間５０に装填される。これにより、第１の横板１４のそれぞれの舌状部１６は、側板１３の重ね合わせ部分から互いに離反する方向に延伸することとなる。従って、２つの仕切体１０を使用すれば、図４に示すように、１２個の全ての製品の間に仕切り板を介在させることができる。
【００２５】
次に、本発明の他の実施形態に係る仕切体２０の組み立て完成後の斜視図を図５に示す。本実施形態の仕切体２０は、舌状部１６が設けられていない点を除いて、前述の図３の仕切体１０と同様であり、対応する構成要素には図３と同じ参照符号が付してある。本実施形態の仕切体２０は、前述の図４に示したように２つの仕切体の側板１３を重ね合わせて使用しないことが明らかな場合に使用される。即ち、仕切体２０は舌状部１６を有していないため、図４のように配置した場合に舌状部１６が介在せず、製品が接触してしまう部分が２箇所生じることになるからである。
【００２６】
しかし、本実施形態の仕切体２０は、図３の仕切体１０と比較して、展開図の形状が単純であるため製造が容易であるという利点がある。また、組み立てに際して舌状部１６を折り曲げないようにして第１の横板１４を立てる必要がないため、組み立て作業が仕切体１０の場合より更に単純化される。更に、第１の横板１４から舌状部１６が打ち抜かれていないため、第１の横板１４の両側に位置する製品の保護がより確実に行われることとなる。
【産業上の利用可能性】
【００２７】
本発明の仕切体は、箱体内に収容して使用すれば、運搬に際しての製品同士の衝突を効果的に防止することができるので、包装資材の分野で利用可能である。
【図面の簡単な説明】
【００２８】
【図１】本発明の一実施形態に係る仕切体を展開した状態を表す平面図である。
【図２】図１の仕切体の組み立ての途中の段階を示す斜視図である。
【図３】図１の仕切体の組み立て完成後の斜視図である。
【図４】図３の２つの仕切体を一つの箱体内の収容空間に装填した場合の平面図である。
【図５】本発明の他の実施形態に係る仕切体の組み立て完成後の斜視図である。
【図６】従来の仕切体を表す分解斜視図である。
【符号の説明】
【００２９】
１０  仕切体
１１  縦板
１２  底板
１３  側板
１４  第１の横板
１５  第２の横板
１６  舌状部
２０  仕切体
２１  スリット
２１ａ，２１ｂ  円弧状部
２２  スリット
２２ａ，２２ｂ  円弧状部
２３  スリット
２３ａ，２３ｂ  円弧状部
２４  スリット
２４ａ，２４ｂ  円弧状部
２５，２６  折線
２７ａ，２７ｂ  折線
２８  折線
３１〜３４  円弧状部
４０，５０  収容空間
【図１】
2008184194.tif 000003
【図２】
2008184194.tif 000004
【図３】
2008184194.tif 000005
【図４】
2008184194.tif 000006
【図５】
2008184194.tif 000007
【図６】
2008184194.tif 000008